(57)【要約】【課題】手間とコストをかけることなく、振動板を守るスピーカグリルを備え、ケースにねじ止めにて固定されるスピーカのびびり音を抑制することができるスピーカ装置を提供する。【解決手段】錐体形状のスピーカ本体部１と、板状のスピーカグリル４とを備えたスピーカ装置Ａであって、スピーカ本体部１の開口側端部の外側に接触配置された環状の第１留め部５１と、スピーカグリル４の外周部に接触配置された環状の第２留め部５２と、開口側端部とスピーカグリル４とにはさまれて配置された環状の第３留め部５３と、第１留め部５１、第２留め部５２及び前記第３留め部５３の外周部と一体的に連結された筒状部５０とを有しているスピーカ装置Ａ。【選択図】図１
2009033421.tif 000002
【特許請求の範囲】
【請求項１】
底面が開口された錐体形状のスピーカ本体部と、
前記開口を塞ぐように配置された板状のスピーカグリルとを備え、電子機器の筐体に固定されたスピーカ装置であって、
前記スピーカ本体部の開口側端部及び前記スピーカグリルと接触しつつ保持する枠形状の緩衝部材を有し、
前記緩衝部材が前記スピーカ本体部の開口側端部の外側に接触配置された環状の第１留め部と、前記スピーカグリルの前記スピーカ本体部と反対側の面の外周部に接触配置された環状の第２留め部と、前記開口側端部と前記スピーカグリルとにはさまれて配置された環状の第３留め部と、前記第１留め部、前記第２留め部及び前記第３留め部の外周部と一体的に連結された筒状部とを有していることを特徴とするスピーカ装置。
【請求項２】
前記スピーカ本体部の開口側端部にはフランジ部が形成されており前記第１留め部及び前記第３留め部は前記フランジ部と接触して配置されており、
前記スピーカ装置が前記緩衝部材と接触するように配置されたねじにて、前記筐体に固定されたものであり、
前記ねじの頭には座金が取り付けられており、前記座金が前記第１留め部と接触するように配置されており、
前記第１留め部の環状部が前記座金の先端と前記スピーカ本体部との直接的な接触を防ぐことができる幅で形成されている請求項１に記載のスピーカ装置。
【請求項３】
前記緩衝部材は前記第３留め部が前記第１留め部及び前記第２留め部のいずれよりも幅広の環状で形成されている請求項１又は請求項２に記載のスピーカ装置。
【請求項４】
前記スピーカ本体部が円錐形状で、前記スピーカグリルが円板形状で、前記緩衝部材が円筒状の枠体で形成されている請求項１から請求項３のいずれかに記載のスピーカ装置。
【請求項５】
請求項１から請求項４に記載のスピーカ装置が筐体内部に固定されてなるプロジェクタ装置。
【発明の詳細な説明】
【技術分野】
【０００１】
本発明は、プロジェクタ装置等に内蔵されたスピーカ装置に関するものである。
【背景技術】
【０００２】
プロジェクタ装置等の映像表示機器には、映像（動画）に含まれる音声を再生するためのスピーカが内蔵されている場合が多い。前記スピーカは映像機器のケースに配置され、複数箇所をねじ止めにて前記ケースに固定されているものが多い。前記スピーカの正面には、前記スピーカを構成する部材を保護するためのスピーカグリルが取り付けられている場合が多い。前記スピーカグリルは外部の物品が前記スピーカに備えられた振動板に接触するのを抑制するための取り付けられている。
【０００３】
前記スピーカは磁力により前記振動板を振動させて、空気を振動させ音を発生する装置である。図５は従来のスピーカの固定構造を示す断面図である。図５に示すスピーカ９１は、円錐形状の本体部９１１と、本体部９１１の先鋭部に取り付けられた磁石９１２と、本体部９１１の磁石９１２と反対側に本体部９１１と同一中心軸を持つように支持された円錐形状の振動板９１３とを有している。本体部９１１には、円錐形状の底面部にフランジ部９１０が形成されており、フランジ部９１０と接触し、底面部を覆うようにスピーカグリル９２が取り付けられている。スピーカグリル９２は音の発生源である振動板９１３に異物が接触するのを抑制するものであり、金属板に複数の貫通孔が形成されているものである。
【０００４】
スピーカグリル９２が取り付けられたスピーカ９１は、ケース９０に取り付けられる。スピーカ９１はスピーカグリル９２がケース９０に接触するように配置され、フランジ部９１０を座付きねじ９３で押さえつつ、座付きねじ９３をケース９０にねじ込むことで固定されている。
【０００５】
振動板９１の振動は、音として外部に放出されるが、一部は振動としてスピーカグリル９２を振動させる。スピーカグリル９２がスピーカ９１或いはケース９０と断続的に接触離反を繰り返すと、その接触時に音（いわゆるびびり音）が発生する。
【０００６】
また、座付きねじ９３はしっかり固定されているので、それ自体は振動しないが、座付きねじ９３を介して振動がケース９０に伝播され、ケース９０内部に配置されている部材（たとえば、ケーブル、押圧ボタン、ブロアホルダ等）が振動し、それらの部材がびびり音を発生することがある。
【０００７】
このびびり音の発生を抑制するために、特開平７−１０７５８３号公報に記載の発明は、バッフル板とスピーカの間に弾性体であるパッキン（緩衝部材）を配置するものが示されている。前記パッキンを前記バッフル板と前記スピーカの間に配置することで、前記バッフル板と前記スピーカとの間にびびり音が発生しない状態となるように前記スピーカを取り付けることができる。
【０００８】
また、ねじ止め部、特にねじの頭の部分とスピーカとが接触する部分に不織布、ゴム等の防振用の部材を接着して取り付けることで、前記スピーカからの振動が前記ねじを介してケースに伝播するのを抑制するものが用いられている。
【０００９】
【特許文献１】特開平７−１０７５８３号公報
【発明の開示】
【発明が解決しようとする課題】
【００１０】
しかしながら、特開平７−１０７５８３号公報に記載の発明では、スピーカとバッフルボード（ケース）との間のびびり音の発生は抑制することができるが、スピーカとスピーカグリルの間のびびり音は抑制することができない。
【００１１】
また、上述のように、前記ねじと前記スピーカの間に防振部材をと挟んで取り付けるものの場合、ねじ止め前に、すべてのねじ止め部に防振部材を取り付けなくてはならない。前記ねじと前記スピーカグリルとの間にも防振部材を配置しなくてはならず、手間と時間が多く必要であり、それだけ製造コストが高くなる。
【００１２】
そこで本発明は、振動板を守るスピーカグリルを備え、ケースにねじ止めにて固定されるスピーカの振動により引き起こされるびびり音を抑制することができるスピーカ装置及びこのスピーカ装置が固定されたプロジェクタ装置を提供することを目的とする。
【００１３】
また本発明は、手間とコストをかけることなく、振動板を守るスピーカグリルを備え、ケースにねじ止めにて固定されるスピーカのびびり音を抑制することができるスピーカ装置及びこのスピーカ装置が固定されたプロジェクタ装置を提供することを目的とする。
【課題を解決するための手段】
【００１４】
上記目的を達成するために本発明は、底面が開口された錐体形状のスピーカ本体部と、
前記開口を塞ぐように配置された板状のスピーカグリルとを備え、電子機器の筐体に固定されたスピーカ装置であって、前記スピーカ本体部の開口側端部及び前記スピーカグリルと接触しつつ保持する枠形状の緩衝部材とを有し、前記緩衝部材が前記開口側端部の外側に接触配置された環状の第１留め部と、前記スピーカグリルの前記スピーカ本体部と反対側の面の外周部に接触配置された環状の第２留め部と、前記開口側端部と前記スピーカグリルとにはさまれて配置された環状の第３留め部と、前記第１留め部、前記第２留め部及び前記第３留め部の外周部と一体的に連結された筒状部とを有している。
【００１５】
この構成によると、前記スピーカ本体部と前記スピーカグリルとの間に前記第３留め部が配置されるので、前記スピーカ本体と前記スピーカグリルの接触によるびびり音の発生を抑制することができる。
【００１６】
上記構成において、前記スピーカ本体部の開口側端部にはフランジ部が形成されており前記第１留め部及び前記第３留め部は前記フランジ部と接触して配置されており、前記スピーカ装置が前記緩衝部材と接触するように配置されたねじにて、前記筐体に固定されたものであり、前記ねじの頭には座金が取り付けられており、前記座金が前記第１留め部と接触するように配置されており、前記第１留め部の環状部が前記座金の先端と前記スピーカ本体部との直接的な接触を防ぐことができる幅で形成されているものであってもよい。
【００１７】
この構成によると、前記ねじを止めるとき前記座金と前記フランジ部との間に前記第１留め部が配置されるので、前記スピーカ本体部から前記フランジ部を介して前記ねじに振動が伝達されない。また、前記ねじの本体が前記筒状部に接触するので、前記フランジ部及び前記スピーカグリルと直接接触しない。これにより、前記スピーカ本体部及び前記スピーカグリルから前記ねじの本体に振動が伝播されることがなく、前記ねじを介して伝播された振動が近隣物品を振動させて発生するびびり音を抑制することができる。
【００１８】
上記構成において、前記緩衝部材は前記第３留め部が前記第１留め部及び前記第２留め部のいずれよりも幅広の環状で形成されているものであってもよい。この構成によると、前記緩衝部材の中間部に位置する前記第３留め部がねじれ等の変形が起こりにくい十分な強度を確保することができるので、前記スピーカ本体部及び前記スピーカグリルいずれに緩衝部材を着脱するときも容易に着脱することが可能である。
【００１９】
上記構成において、前記スピーカ本体部が円錐形状で、前記スピーカグリルが円板形状で、前記緩衝部材が円筒状の枠体で形成されているものを挙げることができる。
【００２０】
上記構成のスピーカ装置が取り付けられた電子機器として、プロジェクタ装置を挙げることができる。これ以外にも、内部にボルトで固定されるスピーカ装置を備えた電子機器に広く採用することが可能である。
【発明の効果】
【００２１】
本発明によると、振動板を守るスピーカグリルを備え、ケースにねじ止めにて固定されるスピーカの振動により引き起こされるびびり音を抑制することができるスピーカ装置を提供することができる。
【００２２】
また本発明によると、手間とコストをかけることなく、振動板を守るスピーカグリルを備え、ケースにねじ止めにて固定されるスピーカのびびり音を抑制することができるスピーカ装置を提供することができる。
【発明を実施するための最良の形態】
【００２３】
以下に本発明の実施形態を図面を参照して説明する。図１は本発明にかかるスピーカ装置の分解斜視図であり、図２は図１に示すスピーカ装置を固定した状態の断面図である。図１に示すように、スピーカ装置Ａは、スピーカ本体部１と、振動板２と、駆動コイル部３と、スピーカグリル４と、緩衝部材５とを有している。スピーカ本体部１には円錐形状の金属製の部材であり、底面に開口１０が形成されており、開口１０より外側に突出したフランジ部１１が一体的に形成されている。
【００２４】
振動板２は、円錐形状のスピーカ本体部１の内部に配置される部材であり、振動板２が振動し、空気を振動させることで、音声が出力されるものである。図１のスピーカ装置Ａでは、振動板２は円錐形状のものを示しているが、それに限定されるものではなく、出力される音声の大きさ、高さ等に合わせた形状を有するものである。
【００２５】
駆動コイル部３は円錐形状のスピーカ本体部１の収束した先端部１ｔの開口１０と反対側に取り付けられている。駆動コイル部３は、永久磁石とコイル（ともに図示省略）とを有している。コイルに所定のタイミングで電力を供給することで、永久磁石或いはコイルのいずれかが振動され、その振動で振動板２を駆動（振動）させるものである。
【００２６】
スピーカグリル４はスピーカ本体部１の開口１０を塞ぐように配置された金属製の円板である。スピーカグリル４は、振動板２に物品が接触し、振動板２の振動が制限されるのを防止するためにつけられるものである。スピーカグリル４には、音声が通過できる貫通孔が形成されている。スピーカグリル４の貫通孔は小さな物品が侵入するのを防ぐために、小型のものが好ましい。
【００２７】
緩衝部材５は、それには限定されないがここでは弾性変形可能なゴムで形成されている。緩衝部材５は円形の枠体であり、振動の伝播を抑制するための部材である。図２に示すように、緩衝部材５は、円筒形状の筒状部５０と、筒状部５０に一体的に形成された第１留め部５１、第２留め部５２及び第３留め部５３とを有している。図２に示すように、第１留め部５１と第２留め部５２とは、筒状部５０の両端部に形成されているものである。
【００２８】
第１留め部５１、第２留め部５２、第３留め部５３はいずれも中央に貫通孔を有する円環状の部材である。第１留め部５１と第３留め部５３の間には、第１溝部５４が、第２留め部５２と第３留め部５３の間には第２溝部５５とが形成されている。
【００２９】
図２に示すように、第１溝部５４には、スピーカ本体部１のフランジ部１１が挿入されており、第２溝部５５には、スピーカグリル４が挿入されている。第１溝部５４の軸方向厚さはフランジ部１１の厚さと同じであり、第２溝部５５の厚さはスピーカグリル４の厚さと同じである。フランジ部１１及びスピーカグリル４は、第１溝部５４及び第２溝部５５のぞれぞれにしっかりと保持されている。
【００３０】
第１留め部５１の中央の貫通孔５１１はフランジ部１１の外径よも小さな内径を有するものである。同様に、第２留め部５２の中央の貫通孔５２１はスピーカグリル４の外径よりも小さな内径を有している。また、第３留め部５３の中央の貫通孔５３１は振動板２の外径よりも、大きくなるように形成されている。
【００３１】
緩衝部材５は弾性変形可能なゴムで形成されているものであり、第１留め部５１は貫通孔５１１がフランジ部１１の外径よりも大きくなるように変形され、フランジ部１１が第１溝部５４に挿入される。同様に、第２留め部５２は貫通孔５２１がスピーカグリル４の外径よりも大きくなるように変形され、スピーカグリル４が第２溝部５５に挿入される。
【００３２】
図２に示すように、緩衝部材５の筒状部５０はスピーカ本体部１及びスピーカグリル４の外周部と接触するように配置されているとともに、第１留め部５１がスピーカ本体部１の背面側と接触配置される。また、第２留め部５２がスピーカグリル４の正面側接触して配置されており、第３留め部５３がスピーカ本体部１のフランジ部１１の正面側と、スピーカグリル４の背面側と接触配置され、スピーカ本体部１とスピーカグリル４とが直接接触していない。
【００３３】
スピーカ本体部１及びスピーカグリル４を緩衝部材５に取り付けた状態で、電子機器の筐体Ｃａに取り付けられる。スピーカ装置Ａが筐体Ｃａに形成されたスピーカ取り付け場所にスピーカグリル４が筐体Ｃａと対向するように配置される。この状態で、ねじ６の本体部６０が緩衝部材５の筒状部５０の外側と接触されるとともに、筐体Ｃａにねじ込まれてスピーカ装置Ａを固定する。なお、スピーカ装置Ａはここでは、３個のねじ６で固定されている。ねじ６は、スピーカ装置Ａの中心周りに等中心角度間隔（１２０度）で取り付けられている。
【００３４】
図２に示すように、ねじ６は本体部６０の端部に形成されたねじ頭６１と接触し、ねじ頭６１の外径よりも大きな外径を有する座金部６２が一体的に形成された、いわゆる座付きねじである。ねじ６の座金部６２は第１留め部５１にフランジ部１１の反対側から接触しており、ねじ６の本体部６０が筐体Ｃａにねじ込まれ、座金部６２が第１留め部５１を筐体Ｃａに向けて押し付けることで、スピーカ装置Ａは筐体Ｃａに固定されている。
【００３５】
図２に示すように、緩衝部材５の第１留め部５１の鍔部５１０は、ねじ６を緩衝部材５の筒状部５０とねじ６の本体部６０とを接触させてスピーカ装置Ａを取り付けたときに、座金部６２の先端がスピーカ本体部１に接触されない長さを有している。また、スピーカグリル４は第２留め部５２をはさんでおり、筐体Ｃａとは直接接触していない。
【００３６】
上述したように、スピーカ本体部１とスピーカグリル４との間に第３留め部５３が配置されており、この第３留め部５３の緩衝作用によってスピーカ本体部１からスピーカグリル４とが断続的に接触離反されることによるびびり音の発生を抑制することができる。また、スピーカ本体部１の振動が第３留め部５３で吸収されてしまうので、スピーカグリル４への振動の伝播も抑制される。同様にスピーカグリル４が振動した場合でも、スピーカグリル４と筐体Ｃａの間に第２留め部５２とが配置されており、第２留め部５２の緩衝作用によって、スピーカグリル４が筐体Ｃａとの間に発生するびびり音を抑制することが可能である。
【００３７】
振動板２にて発生された音波がスピーカグリル４を振動させることができるエネルギを有している場合であっても、スピーカグリル４が第２留め部５２、第３留め部５３及び筒状部５０にて囲まれているので、スピーカグリル４の振動を減衰させることができる。スピーカグリル４と筐体Ｃａとのびびり音の発生を抑制することができる。
【００３８】
ねじ６の座金６２とスピーカ本体部１及びフランジ部１１との間には第１留め部５１が配置されており、フランジ部１１の外縁とねじ６の本体部６０との間には筒状部５０が配置されている。これにより、スピーカ本体部１の振動が第１留め部５１及び筒状部５０の緩衝作用にてねじ６に伝播されずに減衰してしまうので、ねじ６を介して筐体Ｃａへの振動の伝播が抑制され、筐体Ｃａ内の部材の振動が抑制され、びびり音の発生が抑制される。
【００３９】
同様に、スピーカグリル４の外縁とねじ６の本体部６０との間には筒状部５０が配置されているので、スピーカグリル４に振動が発生した場合でも、ねじ６への振動の伝播が抑制される。これにより、ねじ６を介して筐体Ｃａへの振動の伝播が抑制され、筐体Ｃａ内の部材の振動が抑制され、びびり音の発生が抑制される。
【００４０】
スピーカ装置の利用例の一つであるプロジェクタ装置について説明する。図３は本発明にかかるスピーカ装置が固定されたプロジェクタ装置の断面図である。
【００４１】
プロジェクタ装置７はケース７１と、支持脚７２と、映像生成部７３と、投影レンズ７４と、スピーカ装置Ａとを有している。ケース７１は中空の箱型の部材であり、内部に映像生成装置７３及びスピーカ装置Ａが格納されている。また、正面側には、投影用レンズ７４が取り付けられている。
【００４２】
支持脚７２は、底面の正面側に、左右に離れて配置されるものと背面側の中央に配置されているものの合計３個備えられており、この３個の支持脚７３でプロジェクタ装置７を支持している。３個の支持脚７２のうち正面側のどちらか１個と、背面側の１個が底面からの伸縮が可能となるように取り付けられており、支持脚７２の突出量を調整することで、プロジェクタ装置７の傾きを調整することができる。
【００４３】
映像生成装置７３は、図示を省略した光源と、光源より出射された光を分光し、映像を形成する映像エンジンとを有している。映像エンジンにて形成された映像を含む光は、投影用レンズ７４に入射する。投影用レンズ７４は入射された映像を、プロジェクタ装置７の正面側に配置されたスクリーンの大きさにあうように拡大するとともに、ピントを合わせて、スクリーンに画像を投影させるものである。投影用レンズ７４はそれには限定されないがここではガラス製のレンズを複数枚組み合わせたものである。
【００４４】
スピーカ装置Ａは、ケース７１の底面に形成されたスピーカ配置部７１１に取り付けられる。スピーカ配置部７１１は、スピーカ装置Ａから発声された音声が外部に抜けやすくするために、複数個の貫通孔が形成されており、スピーカ装置Ａが嵌入される立ち上り部７１２が形成されている。立ち上り部７１２の周囲には、隣接してねじ６を螺合するためのねじ止め部７１３が形成されている。
【００４５】
スピーカ装置Ａは立ち上り部７１２にスピーカグリル４が底面側を向くように嵌入されている。この、立ち上り部７１２は緩衝部材５の軸方向長さよりも短く形成されているものであり、スピーカ装置Ａのスピーカ配置部７１１に対する位置決めを行うものである。スピーカ装置Ａは座付きねじ６を用いて固定されている。座付きねじ６は、座金部６２で緩衝部材５の第１留め部５１に覆われたフランジ部１１を押えつつ、ねじ止め部７１３に螺合されてスピーカ装置Ａを固定している。
【００４６】
このとき、スピーカ本体部１とスピーカグリル４、スピーカ本体部１及びスピーカグリル４とねじ６、スピーカグリル４とケース７１の底面の間にはそれぞれ緩衝部材５の一部が配置されているので、振動板２の振動がスピーカ本体部１からそれ以外の部材に伝播することがなく、また、スピーカ本体部１が振動しても、緩衝部材５にて緩衝されるので、びびり音の発生が抑制される。
【００４７】
緩衝部材の他の例について、図面を参照して説明する。図４は本発明にかかるスピーカ装置に用いられる緩衝部材の他の例の断面図である。図４に示すように緩衝部材５ｂは第１留め部５１ｂと第２留め部５２ｂの間に配置された、第３留め部５３ｂの鍔部長さが、第１留め部５１ｂ及び第２留め部５２ｂの鍔部の長さに比べて長く形成されている。
【００４８】
このように、中間部の第３留め部５３ｂが長くなるように形成されているものの場合、緩衝部材５ｂのねじれ、つぶれ等の変形を抑制することができる。また、第３留め部５３ｂが大きく、力が逃げにくいので、スピーカ本体部１のフランジ部１１を第１溝部５４ｂに、スピーカグリル４を第２溝部５５ｂに挿入するときに、緩衝部材５ｂが安定しているので、取り付けが容易である。
【００４９】
上記各実施例において、スピーカ装置が円形状のものを例に説明しているが、それに限定されるものではなく、角部が丸く形成された多角形状のものであってもよい。また、振動板の形状についても、円錐形状のものに限定されるものではなく、音声の大きさ、周波数、音色に対応する形状で、振動板がスピーカ本体部１より突出しないものを広く採用することができる。
【００５０】
以上、発明の実施形態を具体的に説明したが、本発明は上記実施形態に限定するものではなく、その要旨を逸脱しない範囲で種々変更可能である。
【産業上の利用可能性】
【００５１】
本発明は、スピーカ装置を固定するための固定構造において適用することができる。
【図面の簡単な説明】
【００５２】
【図１】本発明にかかるスピーカ装置の分解斜視図である。
【図２】図１に示すスピーカ装置を固定した状態の断面図である。
【図３】本発明にかかるスピーカ装置が固定されたプロジェクタ装置の断面図である。
【図４】本発明にかかるスピーカ装置に用いられる緩衝部材の他の例の断面図である。
【図５】従来のスピーカの固定構造を示す断面図である。
【符号の説明】
【００５３】
Ａ  スピーカ装置
１  スピーカ本体部
２  振動板
３  駆動コイル部
４  スピーカグリル
５  緩衝部材
５１  第１留め部
５２  第２留め部
５３  第３留め部
５２  第１溝部
５５  第２溝部
【図１】
2009033421.tif 000003
【図２】
2009033421.tif 000004
【図３】
2009033421.tif 000005
【図４】
2009033421.tif 000006
【図５】
2009033421.tif 000007